(57)【要約】デジタル加入者端末（３０）に向けた高速情報伝送システム。本発明によると、前記システムは、高速情報伝送ｘＤＳＬ回線（１）と、少なくとも前記デジタル加入者端末（３０）が接続される低圧電気配線網（２）との間に、少なくとも受動的整合手段（１０、１０’）を含む。加入者線の端末部分での高速伝送への応用。
2004533747.tif 000002
【特許請求の範囲】
【請求項１】
デジタル加入者端末（３０）に向けた高速情報伝送システムであって、前記システムが、高速情報伝送ｘＤＳＬ回線（１）と、少なくとも前記デジタル加入者端末（３０）が接続される低圧電気配線網（２）との間に、少なくとも受動的整合手段（１０、１０’）を含むことを特徴とする伝送システム。
【請求項２】
前記受動的整合手段（１０、１０’）が、一方では、低圧電気配線網（２）の入り口に、また他方では、前記デジタル端末（３０）の入り口に配置されることを特徴とする、請求項１に記載の伝送システム。
【請求項３】
前記システムが、前記受動的整合手段（１０、１０’）のおかげで、ｘＤＳＬ変調を低圧電気配線網（２）でデジタル端末（３０）まで運ぶのに適していることを特徴とする、請求項１または２に記載の伝送システム。
【請求項４】
前記システムが、前記受動的整合手段（１０、１０’）のおかげで、前記情報を直接伝送するのに適していることを特徴とする、請求項１から３のいずれか一つに記載の高速伝送システム。
【請求項５】
請求項１から４のいずれか一つに記載の伝送システムに結びついた受動的整合装置（１０、１０’）であって、少なくとも以下を含むことを特徴とする装置：
−低圧電気配線網（２）での低周波フィルタ手段（Ｃ１、Ｃ２）；
−低圧電気配線網（２）とｘＤＳＬ回線（１）との間の遮断手段（ＴＲ）。
【請求項６】
受動的整合装置（１０、１０’）であって、前記装置（１０、１０’）が、電話機（２１）に向けたインピーダンスを整合するための整合手段（Ｃ３）を含むことを特徴とする、請求項５に記載の装置。
【発明の詳細な説明】
【技術分野】
【０００１】
本発明は、デジタル端末に向けた高速情報伝送システムに関するものである。
【０００２】
本発明は、ある応用を、加入者線の端末部分での、加入者の低圧電気配線網を介した、高速情報伝送の分野において有利であると見出している。
【背景技術】
【０００３】
現在、加入者の低圧電気配線網を介した加入者端末回線での情報伝送システムが既知であるが、これらは、伝送すべき情報の処理を必要とする。この情報処理は、モデムタイプの二つの装置を設置することにより、実現される。モデム装置のうちの一つは、加入者の電気配線網の入り口、情報の受信部の近くに配置される。もう一つのモデム装置は、伝送された情報を活用するために加入者が利用する端末の入り口に配置される。これらの当該モデム装置は、情報を受信する際に「ＰＬＴ」（「Ｐｏｗｅｒ  Ｌｉｎｅ  Ｔｅｌｅｃｏｍｍｕｎｉｃａｔｉｏｎｓ」すなわち電力線電気通信）と呼ばれる整合変調を、ついで、加入者の電気配線網の通過後に前記情報のＰＬＴ復調を、実現する。このＰＬＴ整合変調により、低圧電気配線網の周波数帯とは異なる周波数帯における情報の伝送が可能となる。
【０００４】
既存のシステムは、前記ＰＬＴモデム装置を電気配線網に付け加えないと機能しないのであるが、このことは、このタイプの低圧電気配線網への伝送に特有の追加ハードウェアを意味する。
【発明の開示】
【発明が解決しようとする課題】
【０００５】
前記ＰＬＴモデム装置の設置は、追加コストを結果としてもたらす。情報を変調および復調する二つのモデム装置のコストは、加入者にとって高額で、このことは、低圧電気配線網での前記伝送システムの利用を制限する。
【０００６】
したがって、本発明の目的によって解決すべき技術的問題は、加入者が低圧電気配線網に接続することを可能にし、かつ、加入者の前記電気配線網に高額の装置を設置することを避けながら既存のシステムの不都合を改善する、高速情報伝送システムを提案することである。
【課題を解決するための手段】
【０００７】
本発明によると、提示された技術的問題への解決案は、前記伝送システムが、高速情報伝送ｘＤＳＬ回線と、少なくとも前記デジタル加入者端末が接続される低圧電気配線網との間に、少なくとも受動的整合手段を含むことから成る。
【０００８】
したがって、本発明にかなった高速情報伝送システムは、低圧電気配線網での情報伝送に現在までは必要である、前記ＰＬＴモデム装置の設置を免れる。特有のＰＬＴ変調および復調は、低圧電気配線網で前記情報を運ぶために、もはや利用されない。前記受動的整合手段が、既存の伝送システムで利用されるＰＬＴモデム装置に代わる。
【０００９】
ｘＤＳＬ（Ｄｉｇｉｔａｌ  Ｓｕｂｓｃｒｉｂｅｒ  Ｌｉｎｅの頭字語で、デジタル加入者線に対する総称的な略語）テクノロジーは、デジタル加入者線での高速情報伝送の、一つの解決案である。一般に、ｘＤＳＬで、例えばＶＤＳＬ、ＨＤＳＬ、ＳＤＳＬ、ＡＤＳＬ、ＡＤＳＬ―ｌｉｔｅテクノロジーのような、テクノロジーのグループ全てを指す。
【００１０】
ｘＤＳＬ伝送は、変調、符号化、多重化、エラー修正およびフィルタの高度な技術の組み合わせに基礎を置いている。このｘＤＳＬテクノロジーは、様々なサービスを加入者線で高速伝送することを可能にするものであり、例えばインターネットに接続したサイトでのサービス、インターネット網を介した電話による会話のサービス（「Ｖｏｉｃｅ  ｏｖｅｒ  ＩＰすなわちＶｏＩＰ」と呼ばれるサービス）、Ｖｉｄｅｏ  ｏｎ  ｄｅｍａｎｄ伝送の対話式サービス（「ＶｏＤ」と呼ばれるサービス）である。
【００１１】
ｘＤＳＬ接続は、電気通信サービスの配分ネットワーク内に配置されるモデム装置から成る。この第一のモデム装置は、ネットワークにおいて、ｘＤＳＬ回線のための変調を実現する。もうひとつのｘＤＳＬモデム装置は、加入者の設備内に設置される。この第二のモデム装置は、デジタル加入者端末へ向けた復調を実現する。これにより、加入者は、様々なサービスに高速でアクセスすることが可能となる。
【００１２】
本発明によると、前記受動的整合手段は、一方では、低圧電気配線網の入り口に、また他方では、前記デジタル端末の入り口に、配置される。
【００１３】
このようにして、前記伝送システムは、一般的にあらゆる建造物の内部に存在する低圧電気配線網の利用を、建物内の多くのアクセスポイントを用いて可能にする。このことにより、電気通信サービスの潜在的利用者の全体に到達することが可能となる。このことによりまた、加入者は、標準の電気コンセントのおかげで、低圧電気配線網のあらゆるポイントで自由に接続することが可能となり、前記電気通信サービスの伝送のための特別な配線を免れる。
【００１４】
さらに、本発明にかなった前記高速情報伝送システムは、前記受動的整合手段のおかげで、ｘＤＳＬ変調を低圧電気配線網でデジタル端末まで運ぶのに適している。
【００１５】
したがって、本システムは、ｘＤＳＬ回線を利用する高速伝送システムにおいて活用するのが非常に容易である。
【００１６】
本発明にかなった前記高速情報伝送システムが、前記受動的整合手段のおかげで、前記情報を直接伝送するのに適していることが注目されよう。すなわち、本システムの前記受動的整合手段は、それぞれ受動的な回路であって、能動部品がない。情報のいかなる処理も実現しないこの受動的な回路はまた、あらゆるｘＤＳＬテクノロジーとの互換性を説明づけている。
【００１７】
本発明にかなった当該伝送システムと結びついた前記受動的整合装置は、少なくとも、低圧電気配線網での低周波フィルタ手段、および、低圧電気配線網とｘＤＳＬ回線との間の遮断手段を含む。
【発明の効果】
【００１８】
事実、本発明による前記受動的整合装置は、非常に単純な着想によるものである。したがって、ＰＬＴモデム装置とは違って、低いコストしかかからない。そうすれば、高価なＰＬＴモデム装置や、あるいは、前記電気通信サービスの伝送のための特別な配線を所有する加入者に現在までは限られている高速サービス、例えばインターネット上のサービスに、大量の加入者がアクセスする。
【発明を実施するための最良の形態】
【００１９】
非制限例として与えられた附属の図面と比較して続く説明によって、本発明が何から成るのか、また、本発明をどのように実現することができるのかを、よく理解することができるであろう。
【００２０】
図１は、本発明による伝送システムの全体図である。
【００２１】
図２は、受動的整合装置の実施に関する詳細な図を表している。
【００２２】
高速情報伝送を必要とするサービスにアクセスしたい加入者は、ｘＤＳＬタイプの回線１に接続している。上記に示したように、この回線は、電気通信サービスのディストリビュータによって変調された情報を、伝送する。本発明にかなった、デジタル加入者端末３０への高速伝送システムは、図１に全体的に表されている。
【００２３】
加入者が音声通信を確立するために電話機２１を利用する場合、加入者は、音声信号とｘＤＳＬで変調された情報とを分離するセパレータ・フィルタ２２に接続される。
【００２４】
加入者の低圧電気配線網２によって伝送されるべき情報を運ぶことができるようにするために、受動的整合装置１０は、ｘＤＳＬ変調された回線１の、セパレータ・フィルタ２２の後に、伝送されるべき情報の受信部に配置される。
【００２５】
既存のシステムとは違って、電気配線網で運ばれる前記情報は、相変わらずｘＤＳＬで変調された状態である。既存のシステムでは、伝送されるべき情報は、ＰＬＴと呼ばれるモデム装置によって処理されるが、該装置は、前記情報を、電気信号と区別されるように変調および復調するものである。このことは、特有のＰＬＴテクノロジーを利用して変調／復調を変えることによって低圧電気配線網で運ぶように、前記情報の受信からすぐのｘＤＳＬ復調を強要する。
【００２６】
前記受動的整合装置１０は、設備に付け加えられた小さなケースであるか、あるいは、セパレータ・フィルタ２２内に組み込まれている。セパレータ・フィルタ内に組み込むことによる、この解決案は、図２に詳細な仕方で説明されている前記受動的整合手段１０の単純さを考慮に入れると、容易に実現される。
【００２７】
受動的整合装置１０と、加入者の電気配線網との接続は、標準の電気コンセントのおかげで実現される。
【００２８】
同様に、デジタル加入者端末３０に向けて、受動的整合装置１０’は、どんな標準電気コンセントからでも、加入者の電気配線網に接続する。
【００２９】
そのうえ、さらに設備を簡単にするために、受動的整合装置１０’は、ｘＤＳＬ変調された回線１の到着場所に設置される受動的整合装置１０と完全に同一である。
【００３０】
前記受動的整合装置１０’は、ｘＤＳＬモデム装置２３の前に配置される。このｘＤＳＬモデム装置２３は、伝送された情報を復調する。
【００３１】
セパレータ・フィルタと同じように、前記受動的整合手段１０’は、設備内に付け加えられた小さなケースであるか、あるいは、ｘＤＳＬモデム装置２３内に組み込まれている。前記受動的整合手段１０、１０’は同一かつ非常に単純であるため、繰り返すが、ｘＤＳＬモデム装置内に組み込むことによる、この解決案は、容易に実現できる。
【００３２】
前記情報は、ついで、デジタル加入者端末３０の方に伝送される。デジタル加入者端末は、関係する情報のタイプに応じて、例えばＰＣタイプの端末、あるいはまたＴＶデジタル・デコーダ、あるいは他のあらゆる適切なデジタル端末である。
【００３３】
さて今度は、前記受動的整合装置１０、１０’の詳細な説明をすることになるが、該受動的整合装置は、ｘＤＳＬ高速伝送のために変調された情報を通過させながら、セパレータ・フィルタ２２と、したがって電話機２１を伴った電話線と、ならびに、ｘＤＳＬモデム装置２３とを、電気信号から同時に遮断するものである。
【００３４】
参考までに、二つの受動的整合装置１０、１０’が、低圧電気配線網２の入り口において、および、デジタル加入者端末３０に向けて、同一であることをもう一度言おう。
【００３５】
図２に関して、前記受動的整合装置１０、１０’のフィルタ手段Ｃ１、Ｃ２は、二つのコンデンサＣ１、Ｃ２であって、電気配線網の低周波を削除するものである。これら二つのコンデンサは、伝送すべき情報を、より高い周波数のｘＤＳＬで変調された状態で通過させる。
【００３６】
遮断手段ＴＲは、低圧電気配線網２と、ｘＤＳＬ変調された回線１との間のインピーダンス整合を可能にするトランスである。
【００３７】
該遮断手段はまた、ガルバーニ電気の絶縁も可能にし、フィルタコンデンサＣ１、Ｃ２の故障の場合に、加入者の方に電気信号が通過するのを避ける。このガルバーニ電気の絶縁は、加入者にとってはセキュリティであり、また、電気配線網に接続され一般大衆によって利用される全ての機器にとっては、義務である。
【００３８】
振幅制限手段ＤＺ１、ＤＺ２は、二つのツェナーダイオードであって、これらは、前記ツェナーダイオードの限界のレベルを上回る、あらゆる雑音ピーク信号を削除する。過渡的信号と呼ばれるこれらの雑音ピーク信号は、従来、電気配線網上で見つかるものである。
【００３９】
整合手段Ｃ３はコンデンサであって、ｘＤＳＬ変調された回線１と電話機２１との間のインピーダンス整合を可能にする。
【００４０】
音声通信を確立するために電話機２１がひとつも使用されない場合、コンデンサＣ３は、前記受動的整合装置１０、１０’から取り除かれる。
【００４１】
説明の中に記載されているように、われわれは、詳細な検査の後、前記受動的整合装置１０、１０’が、能動部品のない受動的な回路であることを確認している。受動的な回路は、伝送すべき情報にいかなる処理も施さない。
【００４２】
したがって、前記受動的整合装置１０、１０’は、ｘＤＳＬ伝送でエラーを加えることはなく、また、伝送すべき情報のレベルでほとんど減衰を引き起こさない。
【００４３】
上記に示されているように、回路の単純さ、および、前記受動的整合装置１０、１０’に含まれる部品の数の少なさによって、情報の受信部のセパレータ・フィルタ２２内にせよ、デジタル加入者端末３０の方に向けたｘＤＳＬモデム装置２３内にせよ、該受動的整合装置の実装は容易である。
【図面の簡単な説明】
【００４４】
【図１】本発明による伝送システムの全体図である。
【図２】受動的整合装置の実施に関する詳細な図を表している。
【符号の説明】
【００４５】
１  回線
２  低圧電気配線網
１０  受動的整合装置
２１  電話機
２２  フィルタ
２３  モデム装置
３０  デジタル加入者端末
【図１】
2004533747.tif 000003
【図２】
2004533747.tif 000004
【国際公開パンフレット】
2004533747.tif 000005
2004533747.tif 000006
2004533747.tif 000007
2004533747.tif 000008
2004533747.tif 000009
2004533747.tif 000010
2004533747.tif 000011
2004533747.tif 000012
2004533747.tif 000013
2004533747.tif 000014
2004533747.tif 000015
【手続補正書】
【提出日】平成15年6月6日(2003.6.6)
【手続補正１】
【補正対象書類名】特許請求の範囲
【補正対象項目名】全文
【補正方法】変更
【補正の内容】
【特許請求の範囲】
【請求項１】
デジタル加入者端末（３０）に向けた高速情報伝送システムであって、該システムは、高速情報伝送ｘＤＳＬ回線（１）と、少なくとも前記デジタル加入者端末（３０）が接続される低圧電気配線網（２）との間に、少なくとも受動的整合手段（１０、１０’）を含んでいるものであるが、前記システムが、前記受動的整合手段（１０、１０’）のおかげで、ｘＤＳＬ変調された信号の処理をすることなしに、ｘＤＳＬ変調を低圧電気配線網（２）でデジタル端末（３０）まで運ぶことおよび伝送することに適しているということを特徴とする伝送システム。
【請求項２】
前記受動的整合手段（１０、１０’）が、一方では、低圧電気配線網（２）の入り口に、また他方では、前記デジタル端末（３０）の入り口に配置されることを特徴とする、請求項１に記載の伝送システム。
【請求項３】
前記システムが、前記受動的整合手段（１０、１０’）のおかげで、前記情報を直接伝送するのに適していることを特徴とする、請求項１または２に記載の高速伝送システム。
【請求項４】
請求項１から３のいずれか一つに記載の伝送システムに結びつくように構成された受動的整合装置（１０、１０’）であって、少なくとも以下を含むことを特徴とする装置：
−低圧電気配線網（２）での低周波フィルタ手段（Ｃ１、Ｃ２）；
−低圧電気配線網（２）とｘＤＳＬ回線（１）との間の遮断手段（ＴＲ）。
【請求項５】
受動的整合装置（１０、１０’）であって、前記装置（１０、１０’）が、電話機（２１）に向けたインピーダンスを整合するための整合手段（Ｃ３）を含むことを特徴とする、請求項４に記載の装置。
【国際調査報告】
2004533747.tif 000016
2004533747.tif 000017
2004533747.tif 000018
2004533747.tif 000019
2004533747.tif 000020
2004533747.tif 000021